(57)【要約】      （修正有）【課題】載置台の左右に開閉するバインダーによって本を押える方式の書見台に於いては、ページを繰るときに、バインダーを外側に引き出してページを繰らねばならないなどの不便を伴うことがあった。  【解決手段】主バインダー３の上部に、もう一つの小さな補助バインダー８を回動可能に取付けた、二重式のバインダーである。バインダーを二段重ねにすることにより、下の主バインダーで本の見開きを押え、その上にこれから読む複数のページを載せ、それを補助バインダーで挟むことが可能になり、読み終えたページを繰るときには、補助バインダーから最上部のページを抜き取り、もう一方の補助バインダーに差込むことにより、より容易に、より早くページを繰ることが出来る。【選択図】図２
2007000573.tif 000002
【特許請求の範囲】
【請求項１】
透明のプラスチック板よりなる主バインダーの弾接板に形成した軸穴に、クッションを挟んで補助バインダーを回動可能にネジ止めし、主バインダーに補助バインダーが弾接することを特徴とした二重式バインダー。
【発明の詳細な説明】
【技術分野】
【０００１】  この発明は、開いた本のページを押える書見台のバインダーに関する。
【技術背景】
【０００２】  本のページを押える書見台のバインダーの方式は数多くあるが、本発明のバインダーは、透明のプラスチック板の弾性によってページを押えるもので、本人出願人による、特願２００２−１０９８１３、特願２００２−１７９１９１などがある。
【発明の開示】
【発明が解決しようとする課題】
【０００３】  上記発明における書見台は、載置台の左右に開閉するバインダーによって本を押える方式であり、ページを繰るときには、バインダーを外側に引き出してページを繰らねばならないなどの不便を伴うことがあった。
しかるに本発明の解決しようとする課題は、バインダーをスライドせずに、素早くページ繰りが出来るバインダーを実現することである。
【課題を解決するための手段】
【０００４】  この課題を実現するために本発明は、主バインダーの上部に、もう一つの小さな補助バインダーを回動可能に取付けた、二重式のバインダーを提案するものである。
【発明の効果】
【０００５】  バインダーを二段重ねにすることにより、下の主バインダーで本の見開きを押え、その上にこれから読む複数のページを載せ、それを補助バインダーで挟むことが可能になり、読み終えたページを繰るときには、補助バインダーから最上部のページを抜き取り、もう一方の補助バインダーに差込むことができる。
しかるに、補助バインダーに挟んだ全てのページ繰りが終了するまでは、主バインダーを開閉しなくても良いので、より容易に、より早くページを繰ることが出来る。
さらに、下部バインダーによって、腰の強い本のページ戻りもしっかりと押えることが出来るので、本を載置台に安定して固定することが出来る。
【発明を実施するための最良の形態】
【０００６】以下、図面に基づき、本発明の書見台用二重式バインダーについて説明する。
図１は、本発明による二重式バインダーを使用した、書見台の平面図である。
図２は、一部分解断面を含む書見台の正面図である。
書見台は、本を載せる載置台１と本を押える一対の主バインダー２、３により構成される。主バインダー２、３は、載置台１内に構成されたガイド溝にガイドされて出入するガイドロッド４を有している。
主バインダーは、透明の弾性を有するプラスチック板から成り、ガイドロッドにその一端が固定され、ガイドロッドから垂直に立ち上がった上部が鋭角に曲がり、斜面をなす弾接板５、６の先端が載置台１に弾接する形状を有する。
本発明の二重バインダーの構成を、図２に示す分解及びその断面で示し説明する。
主バインダー３の弾接板６の上部には軸穴７が形成され、補助バインダー８は、スポンジ等のクッション９を挟んで、ネジ１０とナット１１によって軸穴７に取付けられる。
補助バインダー８は、主バインダー３よりも小さい透明のプラスチック板で形成され、その先端には、主バインダー３に弾接する凸部１２が形成されている。
補助バインダーは、プラスチック板の代わりにバネ鋼で代用することも可能である。
補助バインダー８は、主バインダーとの間にスポンジまたはスプリングなどのクッション９を挟んでおり、ネジ１０およびナット１１の締め加減で主バインダー３との間の弾接力を調節することが出来る。
補助バインダー８は、ネジ１０を軸として矢印１７のように回動可能である。
以下に、上記の二重構成に成るバインダーを適用した書見台により、その使用例を説明する。図面は、右から左へと読み進む例を示し、本を二点鎖線で表示している。
主バインダーを左右に引きだし、今読んでいるページを開いて載置台１に載せ、右側の主バインダーで右側ページ１３を、左側の主バインダー２で左側ページ１４を挟む。
次に、左側のこれから読もうとする数十ページを、主バインダー２の斜面をなす弾接板５の上に乗せ、補助バインダー１６で挟む。
左の最上部のページを読み終えてページを繰るときには、左側の補助バインダー１６から最上部のページを抜き取り、右側の補助バインダー８に差込む。
このようにして、左側の補助バインダーに挟まれた数十ページが全て右側の補助バインダーに差し換えられる間は、主バインダーの開閉は不要となり、ページ繰りに要する時間を短縮することが出来る。
【発明の効果】
【０００７】  本発明の書見台用二重式バインダーにより、
１．ページ繰りが容易にスピーディに行うことができる。
２．バインダーの弾接力を調節できるので片手でもページ繰りが出来る
３．主バインダーで本を押えているので見開きを下にしても本が落下せず、寝ながら読む読書スタンドに適している。
などの効果を有するものである。
【図面の簡単な説明】
【０００８】
【図１】二重式バインダーを使用した書見台の平面図
【図２】二重式バインダーを使用した書見台の正面図
【符号の説明】
【０００９】  １  載置台                      ２  主バインダー
３  主バインダー                ４  ガイドロッド
５  弾接板                      ６  弾接板
７  軸穴                        ８  補助バインダー
９  クッション                  １０  ネジ
１１  ナット                    １２  凸部
１３  右側ページ                １４  左側ページ
１５  これから読むページ        １６  補助バインダー
１７  矢印                      １８  読み終えたページ
１９  本の下部支え
【図１】
2007000573.tif 000003
【図２】
2007000573.tif 000004
【手続補正書】
【提出日】平成18年1月15日(2006.1.15)
【手続補正２】
【補正対象書類名】特許請求の範囲
【補正対象項目名】全文
【補正方法】変更
【補正の内容】
【特許請求の範囲】
【請求項１】
ガイドロッドにその一端が固定された透明の弾性を有するプラスチック板から成り、ガイドロッドより垂直に立ち上がった上部が鋭角に曲がって斜面をなし、その先端が載置台に弾接する主バインダーの斜面に軸穴を形成し、この軸穴と透明なプラスチック板になる補助バインダーの一端に形成した軸穴を、ネジ及びナットにより、補助バインダーを主バインダー斜面上で回動可能に軸支したことを特徴とする書見台用二重式バインダー。
【請求項２】
補助バインダーの先端に、主バインダーに弾接する凸部を形成したこと。